(57)【要約】【課題】横方向の調整を容易に行うことができるクレセント受け部材を提供すること。【解決手段】クレセント７０に係合可能なクレセント受け部材８０であって、召合せ部４０Ａは、内召合せ框４４及び外召合せ框３３により構成され、外召合せ框３３の室内側における見付方向に延びる部分３３３に固定可能な固定部８１１を有する本体金具８１と、クレセント７０に係合可能な係合部８２３を有する係合金具８２と、を備え、本体金具８１は、固定部８１１から外障子３の戸先側に延びて係合金具８２と接合する接合部８１２を有し、接合部８１２及び係合金具８２のいずれか一方には、横方向に延びる長孔８１４ａが形成され、接合部８１２及び係合金具８２のいずれか他方には、室内側から長孔８１４ａ内に挿入されたネジ部材８０２が締結され、正面視において、ネジ部材８０２は、係合金具８２の係合部８２３よりも、外障子３の戸先側に位置する。【選択図】図４
2019173490.tif 000002
【特許請求の範囲】
【請求項１】
摺動可能な内障子及び外障子における召合せ部に設けられ、クレセントに係合可能なクレセント受け部材であって、
前記召合せ部は、前記内障子における内召合せ框及び前記外障子における外召合せ框により構成され、
前記外召合せ框の室内側の部分に固定可能な固定部を有する本体金具と、
前記クレセントに係合可能な係合部を有する係合金具と、を備え、
前記本体金具は、前記固定部から前記外障子の戸先側に延びて前記係合金具と接合する接合部を有し、
前記接合部及び前記係合金具のいずれか一方には、横方向に延びる長孔が形成され、
前記接合部及び前記係合金具のいずれか他方には、室内側から前記長孔内に挿入されたネジ部材が締結され、
正面視において、前記ネジ部材は、前記係合金具の前記係合部よりも、前記外障子の戸先側に位置するクレセント受け部材。
【請求項２】
前記ネジ部材を覆うカバー部材を更に備える請求項１に記載のクレセント受け部材。
【請求項３】
前記長孔は、前記本体金具の前記接合部に形成されており、前記係合部に対して上方及び下方に２つ設けられ、
前記本体金具は、前記係合金具の前記係合部よりも前記外障子の戸先側において前記２つの長孔が形成される前記接合部の部分を上下方向に接続する連結部分を有する請求項１又は２に記載のクレセント受け部材。
【発明の詳細な説明】
【技術分野】
【０００１】
本発明は、クレセント受け部材に関する。
【背景技術】
【０００２】
従来、摺動可能な内障子及び外障子で構成される引き違い窓の召合せ部（外召合せ框及び内召合せ框）に、クレセント錠が取り付けられた技術が知られている（例えば、特許文献１参照）。クレセント錠は、クレセントと、クレセントに係合可能なクレセント受け金具（クレセント受け部材）と、を備える。
【先行技術文献】
【特許文献】
【０００３】
【特許文献１】実開昭６０−８２０６５号公報
【発明の概要】
【発明が解決しようとする課題】
【０００４】
特許文献１に記載のクレセント受け金具は、外障子と内障子とが閉じられた状態において外召合せ框及び内召合せ框が見込方向に重なっており、外召合せ框及び内召合せ框の位置をずらさないと横方向の位置の調整をすることができず、横方向の位置の調整を行いづらかった。
【０００５】
本発明は、横方向の調整を容易に行うことができるクレセント受け部材を提供することを目的とする。
【課題を解決するための手段】
【０００６】
本発明は、摺動可能な内障子（例えば、後述の内障子４）及び外障子（例えば、後述の外障子３）における召合せ部（例えば、後述の召合せ部４０Ａ）に設けられ、クレセント（例えば、後述のクレセント７０）に係合可能なクレセント受け部材（例えば、後述のクレセント受け部材８０）であって、前記召合せ部は、前記内障子における内召合せ框（例えば、後述の内召合せ框４４）及び前記外障子における外召合せ框（例えば、後述の外召合せ框３３）により構成され、前記外召合せ框の室内側の部分（例えば、後述の室内側見付方向延在壁部３３３）に固定可能な固定部（例えば、後述の固定板８１１）を有する本体金具（例えば、後述の本体金具８１）と、前記クレセントに係合可能な係合部（例えば、後述の係合部８２３）を有する係合金具（例えば、後述の係合金具８２）と、を備え、前記本体金具は、前記固定部から前記外障子の戸先側に延びて前記係合金具と接合する接合部（例えば、後述の延出接合板８１２）を有し、前記接合部及び前記係合金具のいずれか一方には、横方向に延びる長孔（例えば、後述の長孔８１４ａ）が形成され、前記接合部及び前記係合金具のいずれか他方には、室内側から前記長孔内に挿入されたネジ部材（例えば、後述のネジ部材８０２）が締結され、正面視において、前記ネジ部材は、前記係合金具の前記係合部よりも、前記外障子の戸先側に位置するクレセント受け部材に関する。
【０００７】
また、前記ネジ部材を覆うカバー部材（例えば、後述のカバー部材８４）を更に備えることが好ましい。
【０００８】
また、前記長孔は、前記本体金具の前記接合部に形成されており、前記係合部に対して上方及び下方に２つ設けられ、前記本体金具は、前記係合金具の前記係合部よりも前記外障子の戸先側において前記２つの長孔が形成される前記接合部の部分を上下方向に接続する連結部分（例えば、後述の連結板８１３）を有することが好ましい。
【発明の効果】
【０００９】
本発明によれば、横方向の調整を容易に行うことができるクレセント受け部材を提供することができる。
【図面の簡単な説明】
【００１０】
【図１】本発明に係る建具の一実施形態を示す正面図である。
【図２】召合せ部に設けられたクレセント受け部材及びクレセントを示す横断面図である。
【図３】クレセント及びクレセント受け部材を示す正面図であって、クレセント受け金具にカバー部材が取り付けられた状態を示す図である。
【図４】外召合せ框にクレセント受け部材が取り付けられた状態を示す図であって、カバー部材を取り外した状態を示す図である。
【図５】クレセント受け部材を分解した状態を示す図である。
【発明を実施するための形態】
【００１１】
以下、本発明の実施形態について図面を用いて詳細に説明する。
図１は、本発明に係る建具１の一実施形態を示す正面図であり、建具１を室内側から見た状態を示している。この建具１は、上横枠２１と下横枠２２と左右一対の縦枠２３、２３とで矩形に形成された枠体２の内側に、４枚の障子３〜６を備えている。図１は、これら４枚の障子３〜６が全て閉じられた状態を示している。建具１は、このように４枚の障子３〜６が閉じられることにより、室内側と室外側とを隔てるように構成される。
【００１２】
４枚の障子３〜６のうち、中央に配置される２枚の障子４、５は、上横枠２１及び下横枠２２に形成された同一のレール（図示せず）上を左右にスライド移動するように枠体２に取り付けられている。また、両端に配置される２枚の障子３、６は、上横枠２１及び下横枠２２に、中央の障子４、５がスライド移動するレールの室外側に平行に配置された同一のレール（図示せず）上を左右にスライド移動するように枠体２に取り付けられている。本実施形態においては、障子４、５は、室内側のレールをスライド移動するため、内障子ともいい、障子３、６は、室外側のレールをスライド移動するため外障子ともいう。
【００１３】
建具１は、両端の外障子３、６がそれぞれ縦枠２３、２３に突き当てられると共に、これらの外障子３、６の室内側に配置される内障子４、５が、建具１の中央部で突き合わされることにより閉じられる。閉じられた状態において、建具１の中央部に、内障子４と内障子５との突合せ部１０が構成される。
【００１４】
外障子３、６は、それぞれ横方向に延びる上框３１、６１及び下框３２、６２と、それぞれ縦方向に延びる縦框である外召合せ框３３、６３と、縦方向に延びる縦框３４、６４とで矩形に枠組みされた内側に、ガラスＧが収容されている。
【００１５】
内障子４、５は、それぞれ横方向に延びる上框４１、５１及び下框４２、５２と、縦方向に延びる縦框である突合せ框４３、５３と、縦方向に延びる縦框である内召合せ框４４、５４とで矩形に枠組みされた内側に、ガラスＧが収容されている。
【００１６】
外障子３、６及び内障子４、５は、横方向に摺動可能に構成され、外障子３、６及び内障子４、５のいずれか一方又は両方が摺動されることで、開閉可能である。外障子３、６と内障子４、５とは、閉じられた状態において、外召合せ框３３、６３と内召合せ框４４、５４とが見込方向に重なることにより、召合せ部４０Ａ、４０Ｂが構成される。このように、召合せ部４０Ａ、４０Ｂは、外召合せ框３３、６３及び内召合せ框４４、５４により構成される。
【００１７】
召合せ部４０Ａ、４０Ｂにおいては、内障子４、５及び外障子３、６が閉じられた状態において、外障子３、６の戸尻側の縦框である外召合せ框３３、６３と、内障子４、５の戸尻側の框である内召合せ框４４、５４とが見込方向に重なって配置される。召合せ部４０Ａ、４０Ｂにおいて、室内側には、内召合せ框４４、５４が配置され、室外側には、外召合せ框３３、６３が配置される。
【００１８】
なお、本実施形態においては、内障子４、５が、召合せ部４０Ａ、４０Ｂに対して開閉されることから、内障子４、５の横方向の内召合せ框４４、５４側を戸尻側といい、内障子４、５の横方向の内召合せ框４４、５４と反対側の突合せ框４３、５３側を戸先側という。また、同様に、外障子３、６が、召合せ部４０Ａ、４０Ｂに対して開閉されることから、外障子３、６の横方向の外召合せ框３３、６３側を戸尻側といい、外障子３、６の横方向の外召合せ框３３、６３と反対側の縦框３４、６４側を戸先側という。
【００１９】
外障子３、６のそれぞれ縦框３４、６４の室内側及び室外側には、開閉操作のための凹状の手掛け部３５、６５が、縦框３４、６４の延び方向（図１における上下方向）に沿って設けられている。建具１の縦方向の中ほどおいて、外障子３、５と内障子４、６との召合せ部４０Ａ、４０Ｂには、外障子３、５及び内障子４、６を施錠するクレセント錠７、８が取り付けられている。また、外障子３、６の下框３２、６２には、それぞれ内障子４及び内障子５を施錠する補助ロック機構９、９が取り付けられている。
【００２０】
次に、クレセント錠７、８に関する具体的な構成について説明する。本説明においては、図１における左側のクレセント錠７について説明する。図１における右側のクレセント錠８は、図１における左側のクレセント錠７と左右対称の構造を有する。そのため、右側のクレセント錠８の説明は、左側のクレセント錠７の説明を援用することができる。図２は、召合せ部４０Ａに設けられたクレセント７０及びクレセント受け部材８０を示す横断面図である。図３は、クレセント７０及びクレセント受け部材８０を示す正面図であって、クレセント受け部材８０にカバー部材８４が取り付けられた状態を示す図である。図４は、外召合せ框３３にクレセント受け部材８０が取り付けられた状態を示す図であって、カバー部材８４を取り外した状態を示す図である。図５は、クレセント受け部材８０を分解した状態を示す図である。
【００２１】
まず、図１の左側のクレセント錠７の構成を説明するために、図１の左側に配置される召合せ部４０Ａにおける内障子４の内召合せ框４４及び外障子３の外召合せ框３３の構成について説明する。
【００２２】
図２に示すように、内障子４の内召合せ框４４は、召合せ部４０Ａにおける室内側に配置され、内召合せ框本体４４１と、内召合せ框カバー部材４４２と、を備える。
内召合せ框本体４４１は、見付方向に並んで配置される複数の中空部を有する内召合せ框本体構成部４４１ａを有する。内召合せ框本体構成部４４１ａのガラスＧ側には、ガラスＧ側の側方へ開口するガラスパネル支持凹部４４１ｂが形成される。
【００２３】
内召合せ框カバー部材４４２は、断面視Ｌ字状に形成され、内召合せ框本体４４１の見付方向のガラスＧ側とは反対側の見込面４４２ａ及び室内側の見付面を覆うように配置される。内召合せ框カバー部材４４２の見付方向のガラスＧとは反対側の見込面４４２ａには、クレセント７０が取り付けられる。
【００２４】
外障子３の外召合せ框３３は、召合せ部４０Ａにおける室外側に配置され、中空部を有するホロー構造である外召合せ框本体３３１を有する。外召合せ框本体３３１のガラスＧ側には、ガラスＧ側の側方へ開口するガラスパネル支持凹部３３２が形成される。外召合せ框本体３３１の室内側の部分には、見付方向に延びる室内側見付方向延在壁部３３３が形成される。室内側見付方向延在壁部３３３には、クレセント受け部材８０が固定される。室内側見付方向延在壁部３３３において、内召合せ框４４側の面は見付面３３３ａであり、見付面３３３ａと反対側の内側の面は内側面３３３ｂである。
【００２５】
クレセント錠７について説明する。図２及び図３に示すように、クレセント錠７は、クレセント７０と、クレセント７０に係合可能なクレセント受け部材８０と、を備える。
【００２６】
クレセント７０は、図２及び図３に示すように、召合せ部４０Ａにおいて、内障子４の内召合せ框４４に設けられる。クレセント７０は、内召合せ框カバー部材４４２の見付方向のガラスＧとは反対側の見込面４４２ａに固定される基部７１と、フック部材７３を有する回転部７２と、回転部７２を回転させるレバー部材７４と、を備える。クレセント７０は、レバー部材７４を回転させることで回転部７２を回転させて、フック部材７３がクレセント受け部材８０の係合部８２３（後述）に係合して施錠する施錠状態、又は、フック部材７３がクレセント受け部材８０の係合部８２３から外れる解錠状態に操作されることが可能である。
【００２７】
クレセント受け部材８０は、召合せ部４０Ａにおいて、外障子３における外召合せ框３３の室内側見付方向延在壁部３３３の見付面３３３ａと反対側の内側面３３３ｂに固定される。クレセント受け部材８０は、図３〜図５に示すように、本体金具８１と、係合金具８２と、係合金具保護部材８３と、カバー部材８４と、を備える。本体金具８１及び係合金具８２は、例えば、金属製である。係合金具保護部材８３及びカバー部材８４は、例えば、樹脂製である。
【００２８】
なお、本実施形態においては、クレセント受け部材８０が外障子３に固定されるため、クレセント受け部材８０において、外召合せ框３３が外障子３の戸尻側に配置されると共に縦框３４が外障子３の戸先側に配置されることを考慮して、固定板８１１により固定される外召合せ框３３側を外障子３の戸尻側といい、外召合せ框３３と反対側の縦框３４側を外障子３の戸先側という。
【００２９】
本体金具８１は、図２に示すように、室内側見付方向延在壁部３３３の見付面３３３ａと反対側の内側面３３３ｂに配置される。本体金具８１は、図４及び図５に示すように、固定板（固定部）８１１と、固定板８１１における外障子３の戸先側の端部から戸先側に延びる上下に一対の延出接合板（接合部）８１２、８１２と、一対の延出接合板８１２、８１２における外障子の戸先側の端部において一対の延出接合板８１２、８１２を上下方向に接続するように上下方向に延びる連結板（連結部分）８１３と、を有する。固定板８１１と一対の延出接合板８１２、８１２と連結板８１３とで囲まれた部分には、開口部８１４が形成される。
【００３０】
固定板８１１は、図２に示すように、室内側見付方向延在壁部３３３の見付面３３３ａと反対側の内側面３３３ｂにおいて見付方向に沿って延びて配置される。固定板８１１は、外召合せ框３３の室内側見付方向延在壁部３３３に固定可能である。固定板８１１は、室内側から挿入される２つのネジ部材８０１、８０１（図４参照）により、外召合せ框３３の室内側見付方向延在壁部３３３の見付面８３３ａと反対側の面８３３ｂ（見付方向内側の面）に固定される。
【００３１】
一対の延出接合板８１２、８１２は、図４及び図５に示すように、係合金具８２（後述）と接合する。一対の延出接合板８１２、８１２それぞれの外障子３の戸先側には、２つの長孔８１４ａ、８１４ａが形成される。２つの長孔８１４ａ、８１４ａは、係合金具８２の係合部８２３（後述）に対して、上方及び下方に離間して配置される。２つの長孔８１４ａ、８１４ａは、それぞれ、横方向に延びる。２つの長孔８１４ａ、８１４ａには、図２に示すように、それぞれ、室内側から、ネジ部材８０２が挿入されて、係合金具８２の雌ネジ接合孔８２２ａ（後述）に捻じ込まれて締結される。ネジ部材８０２は、係合金具８２の係合部８２３よりも、外障子３の戸先側に位置する。
【００３２】
連結板８１３は、図４及び図５に示すように、係合金具８２の係合部８２３よりも外障子３の戸先側において、一対の延出接合板８１２、８１２における２つの長孔８１４ａ、８１４ａが形成された部分を上下方向に接続するように形成される。
【００３３】
係合金具８２は、図２に示すように、本体金具８１の室外側に配置される。係合金具８２は、本体金具８１の室外側において、本体金具８１に沿って見付方向に延びる板状に形成される。係合金具８２は、本体金具８１に対して横方向の位置が調整された状態で本体金具８１に接合される。係合金具８２は、図４及び図５に示すように、基板部８２１と、上下に一対の突出板８２２、８２２と、基板部８２１の上下方向の中央から外障子３の戸尻側の端部から外召合せ框３３側の戸尻側に突出する係合部８２３と、を有する。
【００３４】
基板部８２１は、本体金具８１の室外側に配置され、見付方向に延びる板状に形成される。基板部８２１は、正面視において、連結板８１３及び開口部８１４に重なった位置に配置される。
【００３５】
一対の突出板８２２、８２２は、基板部８２１の上端部及び下端部から外障子３の戸尻側に延びる板状に形成される。一対の突出板８２２、８２２における外障子３の戸先側には、それぞれ、雌ネジ接合孔８２２ａが形成される。雌ネジ接合孔８２２ａは、係合部８２３よりも外障子３の戸先側に配置される。
【００３６】
雌ネジ接合孔８２２ａには、室内側から２つの長孔８１４ａ、８１４ａを挿入されたネジ部材８０２がねじ込まれて、ネジ部材８０２の先端が締結される。これにより、係合金具８２は、２つの長孔８１４ａ、８１４ａを貫通されるネジ部材８０２が雌ネジ接合孔８２２ａに接合することで、本体金具８１に対して横方向の位置が調整された状態で本体金具８１に締結される。
【００３７】
係合部８２３は、基板部８２１の上下方向の中央であって一対の突出板８２２、８２２の間に配置される。係合部８２３は、本体金具８１の開口部８１４において、図２に示すように、室外側から室内側に立ち上がり、室内側において外障子３の戸尻側の横方向に爪状に突出する。係合部８２３には、クレセント７０のフック部材７３が係合可能である。
【００３８】
係合金具保護部材８３は、図５に示すように、係合金具８２の基板部８２１における本体金具８１側の室内側の表面に取り付けられる。係合金具保護部材８３は、樹脂製で、板状に形成される。係合金具保護部材８３は、係合金具８２の基板部８２１に取り付けられた状態において、本体金具８１の連結板８１３の室外側の裏面に対向して配置される。
【００３９】
係合金具保護部材８３は、図５に示すように、係合部用孔部８３１ａを有する板状の本体板部８３１と、本体板部８３１における外障子３の戸尻側の端部に形成される内壁８３２と、本体板部８３１における外障子３の戸先側の端部に上下に離間して配置され裏側に突出して形成される一対の係合突起８３３、８３３と、本体板部８３１における外障子３の戸尻側の端部に上下の外側に配置されるガイド壁８３４、８３４と、を有する。係合金具保護部材８３は、係合部用孔部８３１ａに係合金具８２の係合部８２３が挿入された状態で、内壁８３２及び一対の係合突起８３３、８３３が、基板部８２１を横方向に挟むことで、係合金具８２の本体金具８１に係合される。
【００４０】
カバー部材８４は、図３及び図４に示すように、２つのネジ部材８０２、８０２、本体金具８１の一対の延出接合板（接合部）８１２、８１２及び連結板（連結部）８１３を覆うように、本体金具８１の室内側に取り付けられる。カバー部材８４は、図３に示すように、開口部８４１ａを有する正面板８４１と、正面板８４１の上下方向の端部に形成され、裏面から立ち上がる上壁８４２及び下壁８４３と、正面板８４１における外障子３の戸先側の端部側において裏面から立ち上がる側壁８４４と、開口部８４１ａにおける外障子３の戸先側の外縁において裏面側に突出する係合突起８４５と、を有する。
【００４１】
上壁８４２の下面には、正面板８４１の裏面から離間した位置において、下方に突出するリブ８４２ａが横方向に延びて形成される。同様に、下壁８４３の上面には、正面板８４１の裏面から離間した位置において、上方に突出するリブ８４３ａが横方向に延びて形成される。開口部８４１ａは、カバー部材８４を本体金具８１に取り付けた場合に、本体金具８１の開口部８１４に重なるように配置される。
【００４２】
カバー部材８４を本体金具８１に取り付ける場合には、カバー部材８４を、本体金具８１の外障子３の戸先側から、上壁８４２及び下壁８４３の間に本体金具８１が配置されるように挿入して、上壁８４２のリブ８４２ａ及び下壁８４３のリブ８４３ａにより本体金具８１及び係合金具８２の上下端を係止した状態で、横方向の外障子３の戸尻側にスライド移動させる。そして、カバー部材８４の係合突起８４５を、本体金具８１の開口部８１４の連結板８１３側の縁部に係合させる。これにより、カバー部材８４を本体金具８１に取り付けることができる。
【００４３】
以上のように構成されるクレセント受け部材８０において、カバー部材８４を本体金具８１から取り外した状態で、ネジ部材８０２を緩めて、長孔８１４ａに沿って本体金具８１を横方向に移動させることで、係合金具８２の係合部８２３の横方向の位置を調整できる。本実施形態では、正面視においてクレセント７０が係合部８２３と重なる位置にあっても、ネジ部材８０２は、係合金具８２の係合部８２３よりも外障子３の戸先側に位置する。これにより、ネジ部材８０２がクレセント７０に隠れることがなく、ネジ部材８０２が室内側に露出されるため、係合部８２３の横方向の調整を容易に行うことができる。
【００４４】
以上説明した上記実施形態の構成によれば、以下のような効果を奏する。
クレセント受け部材８０は、クレセント７０に係合可能なクレセント受け部材８０であって、外召合せ框３３の室内側の室内側見付方向延在壁部３３３に固定可能な固定板８１１を有する本体金具８１と、クレセント７０に係合可能な係合部８２３を有する係合金具８２と、を備え、本体金具８１は、固定板８１１から外障子３の戸先側に延びて係合金具８２と接合する延出接合板８１２を有し、延出接合板８１２及び係合金具８２のいずれか一方には、横方向に延びる長孔８１４ａが形成され、接合部８１２及び係合金具８２のいずれか他方には、室内側から長孔８１４ａ内に挿入されたネジ部材８０２が締結され、正面視において、ネジ部材８０２は、係合金具８２の係合部８２３よりも、外障子３の戸先側に位置する。これにより、ネジ部材８０２がクレセント７０に隠れることがなく、ネジ部材８０２が室内側に露出されるため、係合部８２３の横方向の調整を容易に行うことができる。
【００４５】
また、本実施形態においては、ネジ部材８０２を覆うカバー部材８４を備える。これにより、係合部８２３の横方向の調整を行った後に、カバー部材８４を取り付けることで、ネジ部材８０２が露出することを抑制できるため、意匠性を向上させることができる。
【００４６】
また、本実施形態においては、本体金具８１は、係合金具８２の係合部８２３よりも外障子３の戸先側において延出接合板８１２における２つの長孔８１４ａ、８１４ａが形成される部分を上下方向に接続する連結板８１３を有する。これにより、クレセント７０が係合する係合部８２３に対して外障子３の戸先側に連結板８１３を設けることで、クレセント７０と係合部８２３とを係合させる際の強度を向上させることができる。
【００４７】
以上、本発明の好ましい実施形態について説明したが、本発明は、上述の実施形態や変形例に制限されるものではなく、適宜変更が可能である。
例えば、上記実施形態では、長孔８１４ａを本体金具８１の延出接合板８１２に形成したが、これに限定されず、長孔を係合金具８２に形成してもよい。
【符号の説明】
【００４８】
４  内障子
３  外障子
７  クレセント受け部材
３３  外召合せ框
４０Ａ  召合せ部
４４  内召合せ框
７０  クレセント
８０  クレセント受け部材
８１  本体金具
８２  係合金具
８４  カバー部材
３３３  室内側壁部（室内側の部分）
８０２  ネジ部材
８１１  固定板（固定部）
８１２  延出接合板（接合部）
８１３  連結板（連結部分）
８１４ａ  長孔
８２３  係合部
【図１】
2019173490.tif 000003
【図２】
2019173490.tif 000004
【図３】
2019173490.tif 000005
【図４】
2019173490.tif 000006
【図５】
2019173490.tif 000007